(57)【要約】【課題】テンション保持用の棒状物の脱着操作が容易で、縫い目による見栄えの悪化や遮光性への悪影響のない引き上げ式カーテンの提供。【解決手段】カーテン本体に嵌合部材又はループ状紐部材を取り付けると共に、当該嵌合部材又はループ状紐部材を介して棒状物を脱着自在に、かつ引き上げ方向と直交する方向に横架せしめた。棒状物に、嵌合部材又はループ状紐部材の摺動を阻止するストッパーを更に取り付けた。遮光性の二重カーテンとした。【選択図】      図１
2005000334.tif 000002
【特許請求の範囲】
【請求項１】
カーテン本体に棒状物保持用嵌合部材を取り付けると共に、当該棒状物保持用嵌合部材を介して棒状物を嵌脱自在に、かつ引き上げ方向と直交する方向に横架せしめたことを特徴とする引き上げ式カーテン。
【請求項２】
棒状物が、棒状物保持用嵌合部材のカーテン本体中央方向への摺動を阻止するストッパーを備えていることを特徴とする請求項１記載の引き上げ式カーテン。
【請求項３】
カーテン本体に棒状物保持用ループ状紐部材を取り付けると共に、当該棒状物保持用ループ状紐部材を介して棒状物を挿脱自在に、かつ引き上げ方向と直交する方向に横架せしめたことを特徴とする引き上げ式カーテン。
【請求項４】
棒状物が、棒状物保持用ループ状紐部材のカーテン本体中央方向への摺動を阻止するストッパーを備えていることを特徴とする請求項３記載の引き上げ式カーテン。
【請求項５】
カーテン本体が、棒状物の横架面側を被覆する裏地カーテンを備えた二重カーテンとなっていることを特徴とする請求項１〜４の何れか１項記載の引き上げ式カーテン。
【請求項６】
カーテン本体が遮光性を有することを特徴とする請求項１〜５の何れか１項記載の引き上げ式カーテン。
【請求項７】
裏地カーテンが遮光性を有することを特徴とする請求項５記載の引き上げ式カーテン。
【発明の詳細な説明】
【０００１】
【発明の属する技術分野】
本発明は引き上げ式カーテン、更に詳細にはカーテン本体が多段に折り重ねられつつ引き上げられる引き上げ式カーテンに関する。
【０００２】
【従来の技術】
引き上げ式カーテンは、カーテン生地がその左右から中央に寄り易く、その結果弛みやシワが生じてしまうと云う難点があった。
そこで、従来は図８に示す如く、内部に棒状物５２を収納した袋体５１を多段平行的に、カーテン本体５０の横方向に縫着固定してカーテン地の左右方向にテンションをかけ、張りつめた状態を維持することが一般に行なわれていた（例えば特許文献１参照）。
【０００３】
しかしながら、斯かる従来方式によった場合には、カーテンのクリーニング等のために棒状物５２を袋体５１から出し入れするには当該袋体５１に設けられた小さなスリット部５３を利用し、棒状物５２の方向を適宜変換しつつ脱着操作をしなければならず、その操作はかなり煩瑣なのが実状であった。
【０００４】
また、棒状物５２を収納した袋体５１がカーテン本体５０に縫着されているため、横一列の縫い目Ｐが多段平行的に存在する結果、見栄えが悪いと云う問題があったと共に、特に遮光カーテンの場合、当該縫い目Ｐから光が漏れて室内等に入ってしまうと云う問題があった。
【０００５】
【特許文献１】
特開平９−１５４７１１号公報
【０００６】
【発明が解決しようとする課題】
本発明は上記の如き従来の問題に鑑みてなされたもので、テンション保持用の棒状物の脱着操作を容易に行なうことができると共に、縫い目による見栄えの悪化や遮光性への悪影響のない引き上げ式カーテンを提供することを目的とする。
【０００７】
【課題を解決するための手段】
本発明は、カーテン本体に棒状物保持用嵌合部材を取り付けると共に、当該棒状物保持用嵌合部材を介して棒状物を嵌脱自在に、かつ引き上げ方向と直交する方向に横架せしめたことを特徴とする引き上げ式カーテンにより前記目的を達成したものである。
【０００８】
すなわち、斯かる構成とすることにより、棒状物を嵌合部材を利用して嵌脱操作のみにより極めて容易にカーテン本体から脱着することができると共に、袋体を縫着する必要がないので縫い目を極力少なくすることができる結果、見栄えが良く、しかも遮光性に優れた引き上げ式カーテンが得られる。
【０００９】
また、本発明は、カーテン本体に棒状物保持用ループ状紐部材を取り付けると共に、当該棒状物保持用ループ状紐部材を介して棒状物を挿脱自在に、かつ引き上げ方向と直交する方向に横架せしめたことを特徴とする引き上げ式カーテンにより上記目的を達成したものである。
【００１０】
すなわち、斯かる構成とすることにより、棒状物をループ状紐部材を利用して一方向のみの挿脱操作により極めて容易にカーテン本体から脱着することができると共に、袋体を縫着する必要がないので、縫い目を極力少なくすることができる結果、見栄えが良く、しかも遮光性に優れた引き上げ式カーテンが得られる。
【００１１】
また、本発明においては、嵌合部材やループ状紐部材のカーテン本体中央方向への摺動を阻止するストッパーを棒状物に取り付けるのが、カーテン地を左右方向に張りつめた状態に維持する上で特に望ましい。
【００１２】
また、本発明においては、棒状物の横架面側を被覆する裏地カーテンを備えた二重カーテンとするのが、棒状物等を露出せしめることなく、より見栄えに優れた引き上げ式カーテンとすることができるので望ましい。
【００１３】
また、本発明においては、カーテン本体や裏地カーテンに遮光性を有する素材を用いて所謂遮光カーテンとして実施するのが特に効果的である。
【００１４】
【発明の実施の形態】
以下本発明の実施の形態を図面と共に説明する。
【００１５】
まず、本発明の第１の実施の形態を示す図１〜図４において、１０はカーテン本体で、その材質の如何を問わないが、遮光性を有するもの、すなわち、遮光カーテンとして実施した場合に縫い目による悪影響を受けずに、より優れた遮光カーテンとする上で、特に効果的である。このカーテン本体１０の一方の面には棒状物保持用嵌合部材２０が適宜数取り付け固定されていると共に、当該嵌合部材２０を介してテンション保持用の棒状物４０が嵌脱自在に、かつカーテン本体１０の引き上げ方向と直交する方向に、多段平行的に横架されている。この嵌合部材２０は、棒状物４０を少なくともその両端部で嵌合保持し得るように、１本の棒状物４０につき少なくともカーテン本体１０の左右両側辺部に１個ずつ取り付け固定されていれば良いが、図１及び図２に示す如く、カーテン本体１０の左右両側辺部のそれぞれに一定の間隔Ｌを設けて２個ずつ取り付け固定すれば、当該間隔Ｌと棒状物４０とによって形成される空間部を紐通し部Ｑとして利用して、操作紐１５を挿通することができるので有利である。
【００１６】
嵌合部材２０は、棒状物４０を嵌脱自在に嵌合保持し得るものであればその具体的構造の如何を問わないが、例えば図２及び図４に示す如く、合成樹脂製板状体に棒状物嵌合用凹所２０ａを形設したものが簡便である。
【００１７】
嵌合部材２０のカーテン本体１０への具体的取り付けは、接着や融着により直接カーテン本体１０に取り付ける方法；一旦複数の嵌合部材２０をテープに接着や融着せしめた後、当該テープをカーテン本体１０の左右両側辺部において縦方向に縫着する方法等その如何を問わない。
【００１８】
３０はストッパーで、嵌合部材２０が棒状物４０をレールとしてカーテン本体１０の左右両側辺部から中央方向に摺動し、カーテン本体１０に弛みやシワを発生せしめるのを防止するために、左右の嵌合部材２０のそれぞれの内方向側に隣接せしめて棒状物４０に取り付けられている。
【００１９】
ストッパー３０は、嵌合部材２０と係止してその摺動を阻止し得るものであれば、鍔状突起の固設等その具体的構造や取り付け手段の如何を問わないが、図２及び図３に示す如く、ストッパー部材３０ａに棒状物嵌入用孔３０ｂを形設し、当該嵌入用孔３０ｂに棒状物４０を、外力により摺動可能な嵌合力にて挿通嵌合せしめるのが、嵌合部材２０の取り付け位置に対応せしめて、ストッパー部材３０ａを適宜摺動調節することにより、当該嵌合部材２０に隣接せしめてカーテン本体１０を左右に張りつめた状態にすることができるので望ましい。
【００２０】
次に、図５及び図６は本発明の第２の実施の形態を示すもので、第１の実施の形態における棒状物保持用嵌合部材２０に代えて棒状物保持用ループ状紐部材２１が、カーテン本体１０に縫着等の手段により取り付け固定されている以外は第１の実施の形態と同様に構成されている。
【００２１】
因に、ループ状紐部材２１は嵌合部材２０に比し、棒状物４０の保持力が弱いため、ストッパー３０を棒状物４０に取り付けるのが、当該ループ状紐部材２１の摺動によるカーテン本体１０への弛みやシワの発生を防止する上でより効果的である。
【００２２】
次に、図７は本発明の第３の実施の形態を示すもので、第２の実施の形態におけるカーテンに、棒状物４０の横架面側を被覆する裏地カーテン１１が更に取り付けられて二重カーテンとなっている。
【００２３】
斯かる二重カーテンとすることより、棒状物４０等が露出することがないので、より見栄えに優れたカーテンとなる。また、この裏地カーテン１１の材質もその如何を問わないが、遮光性を有するものがより優れた遮光カーテンとする上で有利である。
【００２４】
尚、図７においてＲは紐通しリングで、ループ状紐部材２１の一部を裏地カーテン１１の外側に挿通突出せしめた突出部２１ａに取り付けられていると共に、当該紐通しリングＲに操作紐１５が挿通されている。
【００２５】
【発明の効果】
本発明によれば、テンション保持用の棒状物の脱着操作を容易に行なうことができると共に、縫い目による見栄えの悪化や遮光性への悪影響のない引き上げ式カーテンを提供することができる。
【図面の簡単な説明】
【図１】本発明カーテンの第１の実施の形態を示す要部正面説明図。
【図２】Ａ−Ａ線拡大断面説明図。
【図３】Ｂ−Ｂ線拡大断面説明図。
【図４】Ｃ−Ｃ線拡大断面説明図。
【図５】本発明カーテンの第２の実施の形態を示す要部正面説明図。
【図６】Ｄ−Ｄ線拡大断面説明図。
【図７】本発明カーテンの第３の実施の形態を示す要部断面説明図。
【図８】従来カーテンの要部正面説明図。
【符号の説明】
１０：カーテン本体
１１：裏地カーテン
１５：操作紐
２０：嵌合部材
２０ａ：嵌合用凹所
２１：ループ状紐部材
２１ａ：突出部
３０：ストッパー
４０：棒状物
５０：カーテン本体
５１：袋体
５２：棒状物
５３：スリット部
Ｌ：間隔
Ｐ：縫い目
Ｑ：紐通し部
Ｒ：紐通しリング
【図１】
2005000334.tif 000003
【図２】
2005000334.tif 000004
【図３】
2005000334.tif 000005
【図４】
2005000334.tif 000006
【図５】
2005000334.tif 000007
【図６】
2005000334.tif 000008
【図７】
2005000334.tif 000009
【図８】
2005000334.tif 000010